(57)【要約】  物理的アクセス制御（ＰＡＣ）情報が記録された高密度および／または光記録媒体などの記録媒体、およびデータの保護、データの管理および／または再生の互換性を向上させるように記録媒体に対する記録および再生を行う装置並びに方法が提供される。
2007529841.tif 000002
【特許請求の範囲】
【請求項１】
記録媒体であって、
少なくとも１つの物理的アクセス制御クラスタを含む少なくとも１つの物理的アクセス制御（ＰＡＣ）ゾーンを備え、
前記少なくとも１つの物理的アクセス制御クラスタは、記録媒体に対する記録および／または再生を管理する情報を含むことを特徴とする記録媒体。
【請求項２】
各々のＰＡＣクラスタに対する状態情報を含む少なくとも１つの管理領域を更に備えることを特徴とする請求項１に記載の記録媒体。
【請求項３】
前記記録媒体は、書換え可能な記録媒体であり、前記少なくとも１つの管理領域はディスク定義構造（ＤＤＳ）であることを特徴とする請求項２に記載の記録媒体。
【請求項４】
前記状態情報は、欠陥状態情報および／または割当状態情報を含むことを特徴とする請求項２に記載の記録媒体。
【請求項５】
前記欠陥状態情報は、各々のＰＡＣクラスタに欠陥があるか否かを表すことを特徴とする請求項４に記載の記録媒体。
【請求項６】
前記欠陥状態情報は、各々のＰＡＣクラスタに欠陥がないか否かを表すことを特徴とする請求項４に記載の記録媒体。
【請求項７】
前記割当状態情報は、各々のＰＡＣクラスタが割り当てられているか否かを表すことを特徴とする請求項４に記載の記録媒体。
【請求項８】
前記割当状態情報は、各々のＰＡＣクラスタが新しく割り当てることができるか否かを表すことを特徴とする請求項４に記載の記録媒体。
【請求項９】
前記状態情報は、少なくとも１ビットを含むことを特徴とする請求項２に記載の記録媒体。
【請求項１０】
前記状態情報は、ＰＡＣ状態ビットマップを含むことを特徴とする請求項３に記載の記録媒体。
【請求項１１】
前記ＰＡＣ状態ビットマップは、少なくとも各々のＰＡＣクラスタの有効性を表すことを特徴とする請求項１０に記載の記録媒体。
【請求項１２】
前記ＰＡＣ状態ビットマップは、各々のＰＡＣクラスタが記録されていないか、使用可能もしくは再使用可能か、欠陥があるのか、または、有効かの否かを表すことを特徴とする請求項１０に記載の記録媒体。
【請求項１３】
前記記録媒体は追記型の録媒体であり、前記少なくとも１つの管理領域は一時ディスク定義構造（ＴＤＤＳ）であることを特徴とする請求項２に記載の記録媒体。
【請求項１４】
前記記録媒体は読取専用記録媒体であり、前記少なくとも１つの管理領域は主（primary）ＰＡＣクラスタであることを特徴とする請求項２に記載の記録媒体。
【請求項１５】
前記状態情報は、各々のＰＡＣクラスタが有効か、欠陥があるのか、割り当てられたのか、新しく割り当てることができるか、または、使用可能か否かを表すことを特徴とする請求項２に記載の記録媒体。
【請求項１６】
前記少なくとも１つのＰＡＣゾーンは、前記記録媒体のリードインゾーンの情報ゾーンに記録されることを特徴とする請求項１に記載の記録媒体。
【請求項１７】
前記少なくとも１つのＰＡＣゾーンは、２つのＰＡＣゾーン、即ち、オリジナルのＰＡＣゾーンおよびバックアップＰＡＣゾーンを含むことを特徴とする請求項１に記載の記録媒体。
【請求項１８】
前記オリジナルのＰＡＣゾーンおよび前記バックアップＰＡＣゾーンは、前記記録媒体のリードインゾーンの互いに異なる情報ゾーンに記録されることを特徴とする請求項１７に記載の記録媒体。
【請求項１９】
各々のＰＡＣクラスタは、各々のＰＡＣクラスタに共通であるＰＡＣヘッダと、各々のＰＡＣクラスタに特有の情報を有するＰＡＣ特定情報領域とを含むことを特徴とする請求項１に記載の記録媒体。
【請求項２０】
前記ＰＡＣ特定情報領域は、希望するアプリケーション、または、機能を有効にするための規則を含むことを特徴とする請求項１９に記載の記録媒体。
【請求項２１】
前記少なくとも１つのＰＡＣクラスタは、記録媒体に対して記録および／または再生をしようとする時に認識されない未知のＰＡＣクラスタを含むことを特徴とする請求項２０に記載の記録媒体。
【請求項２２】
前記未知のＰＡＣクラスタの未知のＰＡＣ規則が、前記記録媒体に対して記録および／または再生をするために使われることを特徴とする請求項２１に記載の記録媒体。
【請求項２３】
前記未知のＰＡＣ規則は、前記記録媒体の領域上の読み取り／書き込み制御情報を含むことを特徴とする請求項２２に記載の記録媒体。
【請求項２４】
記録媒体上に記録する方法において、
記録媒体に対する記録および／または再生を管理する情報を含む物理的アクセス制御（ＰＡＣ）クラスタを記録するステップと、
前記ＰＡＣクラスタに対して、少なくとも前記ＰＡＣクラスタの有効性を含む状態情報を記録するステップと、
を備えることを特徴とする方法。
【請求項２５】
前記状態情報は、前記ＰＡＣクラスタに欠陥があるか否かを更に含むことを特徴とする請求項２４に記載の方法。
【請求項２６】
記録媒体から再生する方法において、
前記記録媒体からの再生を管理する情報を含む少なくとも１つの物理的アクセス制御（ＰＡＣ）クラスタに対する状態情報を読取るステップと、
少なくとも各々のＰＡＣクラスタの有効性を含む前記状態情報に基づいて、前記少なくとも１つのＰＡＣクラスタを読取るステップと、
を備えることを特徴とする方法。
【請求項２７】
記録媒体に対して記録および／または再生をする装置において、
前記記録媒体にデータを記録し、または、前記記録媒体からデータを再生するために光記録デバイスを駆動するドライバと、
少なくとも１つの物理的アクセス制御（ＰＡＣ）ゾーンに基づいて前記データを記録または再生するように前記ドライバを制御するコントローラであって、前記少なくとも１つのＰＡＣゾーンは少なくとも１つの物理的アクセス制御（ＰＡＣ）クラスタを含み、前記記録媒体に対する記録および／または再生を管理するための情報、および各々のＰＡＣクラスタに対して少なくとも各々のＰＡＣクラスタの有効性を表す状態情報を含むことと、
を備えることを特徴とする装置。
【請求項２８】
前記状態情報は、前記ＰＡＣクラスタに欠陥があるか否かを更に含むことを特徴とする請求項２７に記載の装置。
【請求項２９】
記録媒体に対して記録および／または再生する装置において、
前記記録媒体にデータを記録しまたは前記記録媒体からデータを再生するために光記録デバイスを駆動するドライバと、
少なくとも１つの物理的アクセス制御（ＰＡＣ）ゾーンに基づいて前記データを記録または再生するように前記ドライバを制御するコントローラであって、前記少なくとも１つのＰＡＣゾーンは少なくとも１つの物理的アクセス制御（ＰＡＣ）クラスタを含み、前記コントローラは前記少なくとも１つのＰＡＣクラスタに対する状態情報を読取り、前記少なくとも１つのクラスタは前記記録媒体からの再生を管理するための情報を含み、前記コントローラは、少なくとも各々のＰＡＣクラスタの有効性を含む前記状態情報に基づいて前記少なくとも１つのＰＡＣクラスタを読取ることと、
を備えることを特徴とする装置。
【請求項３０】
記録媒体であって、
前記記録媒体に対する記録および／または再生を管理するための情報を含む少なくとも１つの物理的アクセス制御（ＰＡＣ）クラスタと、
各々のＰＡＣクラスタに対して少なくとも各々のＰＡＣクラスタの有効性を表す状態情報と、
を備えることを特徴とする記録媒体。
【請求項３１】
前記記録媒体が書き込み可能な媒体である場合、前記状態情報は各々のＰＡＣクラスタに欠陥があるか否かを更に表すことを特徴とする請求項３０に記載の記録媒体。
【請求項３２】
各々のＰＡＣクラスタは、希望するアプリケーションまたは機能を有効とするためのＰＡＣ特定情報を含むことを特徴とする請求項３０に記載の記録媒体。
【請求項３３】
各々のＰＡＣクラスタは、ＰＡＣヘッダを形成するＰＡＣ共通情報を含むことを特徴とする請求項３０に記載の記録媒体。
【発明の詳細な説明】
【技術分野】
【０００１】
本発明は、物理的アクセス制御（ＰＡＣ ; Physical Access Control）、ＰＡＣゾーン、ＰＡＣクラスタ、ＰＡＣゾーンおよび／またはクラスタを含む媒体（例えばブルーレイディスクなどの高密度光ディスク）、並びに媒体にデータを記録および／または媒体からデータを再生する装置および方法に関する。
【背景技術】
【０００２】
大量のデータを記録するために、例えば光ディスクなどの媒体が使われている。利用可能な光ディスクのうち、例えばブルーレイディスク（以下、”ＢＤ”という）などの新たな高密度光媒体（ＨＤ−ＤＶＤ）が開発中であり、これは高密度ビデオおよび／またはオーディオデータを記録および／または記憶能力を増大させることができる。
【０００３】
また、ＢＤは書換え可能なブルーレイディスク（ＢＤ−ＲＥ）、追記型のブルーレイディスク（ＢＤ−ＷＯ）、および読取専用のブルーレイディスク（ＢＤ−ＲＯＭ）を含む。
【発明の開示】
【発明が解決しようとする課題】
【０００４】
しかしながら、既存のシステムにおける現在の問題点の１つは、互いに異なるバージョンのドライブ同士間に互換性がない場合が起こることである。例えば以前の一連の機能を備える古いバージョンのドライブは、後続の機能の少なくとも１つの機能を含むドライブと相互作用した媒体と情報をやり取りすることに困難がある場合がある。
【課題を解決するための手段】
【０００５】
本発明の例示的な実施形態は高密度光ディスクなどの媒体にＰＡＣを提供し、ＰＡＣを使用して媒体にデータを記録し、媒体からデータを再生する装置および方法を提供する。
【０００６】
本発明の例示的な実施形態は、データの保護を向上させ、データの管理を向上させ、再生の互換性向上させ、データ破壊の回避および／または不要な反復的動作等の低減させるために、物理的アクセス制御（ＰＡＣ）情報を備える。
【０００７】
本発明の例示的な実施形態は、高密度光ディスクなどの媒体を提供し、ＰＡＣを管理する装置および方法を提供する。
【０００８】
本発明の例示的な実施形態は高密度光ディスクなどの媒体を提供し、データを管理するためにＰＡＣを使用する装置および方法を提供する。
【０００９】
一実施形態は、本発明は少なくとも１つの物理的アクセス制御（ＰＡＣ）クラスタを更に含む少なくとも１つの物理的アクセス制御（ＰＡＣ）ゾーンを備えた記録媒体に関する。この少なくとも１つのＰＡＣクラスタは、記録媒体に対する記録および／または記録媒体からの再生を管理するための情報を含む。
【００１０】
一実施形態は、本発明は記録媒体に記録する方法に関する。物理的アクセス制御（ＰＡＣ）クラスタを記録するステップを含み、このＰＡＣクラスタは記録媒体に対する記録および／または再生を管理するための情報およびＰＡＣクラスタに対する記録状態情報を含み、この状態情報はＰＡＣクラスタの有効性（validity）を少なくとも含む。
【００１１】
一実施形態は、本発明は記録媒体から再生する方法に関する。少なくとも１つの物理的アクセス制御（ＰＡＣ）クラスタに対する読取状態情報を含む。この少なくとも１つのＰＡＣクラスタは状態情報に基づいて記録媒体からの再生を管理し、少なくとも１つのＰＡＣクラスタを読取るための情報を含み、この状態情報はＰＡＣクラスタ各々の有効性を少なくとも含む。
【００１２】
一実施形態は、本発明は記録媒体に対して記録および／または再生する装置に関する。記録媒体にデータを記録しまたは記録媒体からデータを再生するために光記録デバイスを駆動するドライバ、および少なくとも１つの物理的アクセス制御（ＰＡＣ）ゾーンに基づいてデータを記録または再生するようにドライバを制御するコントローラを含む。この少なくとも１つのＰＡＣゾーンは、少なくとも１つの物理的アクセス制御（ＰＡＣ）クラスタ、記録媒体に対する記録および／または再生を管理するための情報、およびＰＡＣクラスタの各々に対する少なくともＰＡＣクラスタの各々の有効性を表す状態情報を含む。
【００１３】
一実施形態は、本発明は記録媒体に対して記録および／または再生する装置に関する。記録媒体にデータにデータを記録し、または、記録媒体からデータを再生するために光記録デバイスを駆動するドライバ、および少なくとも１つの物理的アクセス制御（ＰＡＣ）ゾーンに基づいてデータを記録または再生するようにドライバを制御するコントローラを含む。この少なくとも１つのＰＡＣゾーンは、少なくとも１つの物理的アクセス制御（ＰＡＣ）クラスタを含み、このコントローラは少なくとも１つのＰＡＣクラスタに対する状態情報を読取り、この少なくとも１つのＰＡＣクラスタは記録媒体からの再生を管理するための情報を含む。コントローラは、この状態情報に基づいて少なくとも１つのＰＡＣクラスタを読取り、状態情報はＰＡＣクラスタの各々の有効性を少なくとも含む。
【００１４】
一実施形態は、本発明は少なくとも１つの物理的アクセス制御（ＰＡＣ）クラスタを含む記録媒体に関する。記録媒体に対する記録および／または再生を管理するための情報およびＰＡＣクラスタの各々に対する状態情報を含み、この状態情報は少なくともＰＡＣクラスタの各々の有効性を表す。
【００１５】
本発明の実施形態に対する前述の一般的な説明および以下の詳細な説明は、例示的なものである。特許請求の範囲で請求する本発明に対して、より具体的な説明を提供するためのものであるという点が理解されるべきである。
【００１６】
本発明に多様な変更および変形がなされることは、当業者にとって自明なことである。したがって、本発明は特許請求の範囲およびその等価物の範囲内において、提供される変更および変形がカバーされる。
【発明を実施するための最良の形態】
【００１７】
本発明の実施形態に関する詳細な参照がなされる。添付図面には、その例が図示されたている。全体の図面を通じて、同一または類似部分に対してはできる限り同一の参照記号が与えられている。
【００１８】
図１は、本発明の実施形態に係る高密度光ディスク上のＰＡＣゾーンを示す図である。図１を参照すれば、高密度光ディスクは、内周から外周へ向かって、リードインゾーン、データゾーンおよびリードアウトゾーンに分けることができる。リードインゾーンは、多様な種類の情報を記録するためのＩＮＦＯ２ゾーンおよびＩＮＦＯ１ゾーンに更に分けられる。ＩＮＦＯ２ゾーンおよび／またはＩＮＦＯ１ゾーンは、ＰＡＣ（Physical Access Control）ゾーンを含む。
【００１９】
便宜上、ＩＮＦＯ２ゾーンに割り当てられたＰＡＣゾーンはＰＡＣＩＩゾーンと表記され、ＩＮＦＯ１ゾーンに割り当てられたＰＡＣゾーンはＰＡＣＩゾーンと表記される。ＰＡＣＩＩゾーンおよびＰＡＣＩゾーンのうち、いずれか１つは記録されたオリジナルのＰＡＣを有することができ、残りの１つはオリジナルのＰＡＣのコピーを記録するためのバックアップゾーンであり得る。記録方向がディスクの内周から外周へ向かう方向であれば、オリジナルのＰＡＣがＰＡＣＩＩゾーンに記録され、バックアップＰＡＣがＰＡＣＩゾーンに記録されるのは都合が良いだろう。
【００２０】
ドライバ装置の新バージョンと互換性のある機能を持ったディスク上の追加機能を、ドライブ装置の旧バージョンが検出できない場合に起こり得る問題点を取扱うために、このＰＡＣゾーンが提供される。ＰＡＣゾーンは、１つ以上の”未知の規則（unknown rules）”を用いて互換性の問題点を取扱うことができる。
【００２１】
“未知の規則（unknown rules）”は、例えば、読み取り、書込などの基本制御、欠陥ゾーンの線形交替（linear replacement）、論理的重ね書きなど、予測可能な動作を制御するために用いられる。例えば、全体ディスクまたはディスクの特定の一部を定義するためのセグメント等、”未知の規則（unknown rules）”を適用することができる箇所を表す領域（area）を備えることができる。これは、以下詳細に説明される。
【００２２】
旧バージョンドライブ装置が”未知の規則（unknown rules）”を用いてディスクの新バージョンをアクセスすることができるディスク領域を定義することによって、新バージョンのディスクは、旧バージョンドライブ装置の不必要なアクセス動作を低減させる。
【００２３】
さらに、旧バージョンドライブ装置がアクセスできるディスクの物理的領域上のアクセス可能領域を、ＰＡＣを用いて定義することによって、ユーザデータを格納しているデータ領域はより確実に保護され、および／または、ディスクに対する権限ないアクセス（例えば、ハッキング等）を防止または低減させることができる。
【００２４】
リードインゾーンにおいて、ＰＡＣＩＩおよびＰＡＣＩゾーンを含むＩＮＦＯ２ゾーンおよびＩＮＦＯ１ゾーンは、高密度光ディスクの書換え可能特性の観点から検討される。
【００２５】
図２は、本発明の実施形態に係る高密度光ディスク上のＩＮＦＯ２ゾーンおよびＩＮＦＯ１ゾーンの構成を示す図である。図２を参照すれば、例えばＢＤ−ＲＥ高密度光ディスクにおいて、ＩＮＦＯ２ゾーンは２５６クラスタを備えることができる。これらは、３２クラスタのＰＡＣＩＩゾーン、欠陥管理のための３２クラスタのＤＭＡ（Defect Management Area）２ゾーン、制御情報が記録された３２クラスタのＣＤ（Control Data）２ゾーンおよび／またはバッファゾーンである３２クラスタのＢＺ（Buffer Zone）３ゾーンを含む。
【００２６】
ＩＮＦＯ１ゾーンは、バッファ領域である３２クラスタのＢＺ２ゾーン、ドライブに特定の情報を格納するためのドライブ領域である３２クラスタのドライバ領域、欠陥管理のための３２クラスタのＤＭＡ１ゾーン、制御情報記録のための３２クラスタのＣＤ１ゾーンおよび／またはＰＡＣゾーンとして活用できるＢＺ１−ＰＡＣＩゾーンを含む。
【００２７】
追記型の高密度光ディスク（ＢＤ−Ｒ）に対しては、ＩＮＦＯ２ゾーンは２５６クラスタを備えることができ、各々３２クラスタであるＰＡＣＩＩゾーン、ＤＭＡ２ゾーン、ＣＤ２ゾーンおよびＢＺ３ゾーンを含む。ＩＮＦＯ１ゾーンは、各々３２クラスタであるＢＺ２ゾーン、ＤＭＡ１ゾーン、ＣＤ１ゾーンおよび／またはＢＺ１−ＰＡＣＩゾーンと１２８クラスタのドライブ領域を含む。
【００２８】
読取専用の高密度光ディスク（ＢＤ−ＲＯＭ）に対しては、ＰＡＣが主ＰＡＣであるはずであり、ＩＮＦＯ２ゾーンは各々３２クラスタであるＰＡＣＩＩゾーン、ＣＤ２ゾーンおよびＢＺ３ゾーンを含む２５６クラスタを有することができ、ＩＮＦＯ１ゾーンは各々３２クラスタであるＣＤ１ゾーンおよび／またはＢＺ１−ＰＡＣＩゾーンを含む２５６クラスタを有することができる。
【００２９】
本発明の実施形態のＰＡＣゾーンは、高密度光ディスクの書換え可能特性に応じて、リードインゾーンにおいて、各々３２クラスタであるＩＮＦＯ２ゾーンおよび／またはＩＮＦＯ１ゾーンに割り当てられる。
【００３０】
３２クラスタのＰＡＣゾーンにおいて、複数の有効（valid）ＰＡＣを記録するために、１つのＰＡＣは１つのクラスタを持つことができる。１つのＰＡＣが１つのクラスタとして記録される構成例は、図３を参照しながら説明される。
【００３１】
図３は、本発明の実施形態に係る高密度光ディスクに記録されたＰＡＣを示す図である。
【００３２】
図３を参照すれば、１つのクラスタサイズ（３２セクタ）である１つのＰＡＣは、ヘッダゾーンおよび特定のディスクドライブ（例えば、光ディスクドライブ）に特有の特定情報ゾーンを含むことができる。ＰＡＣヘッダゾーンは、”未知のＰＡＣ規則”およびセグメントに対する情報などの多様なＰＡＣ情報を記録するために、ＰＡＣの最初のセクタに３８４バイトを割り当てることができる。ＰＡＣゾーンの他の領域は、”既知の規則”が記録されたと参照される（光）ディスクドライブに特有の情報を持つことができる。
【００３３】
上記の構成に記録されるＰＡＣの構成例は、図４を参照して説明される。説明の便宜上、より詳しい説明が必要なＰＡＣの特定フィールドについては、後に、この特定フィールドを示す図面を参照しながら説明される。
【００３４】
図４は、本発明の実施形態に係る高密度光ディスク上のＰＡＣを示す図である。図４を参照すれば、ＰＡＣは全てのＰＡＣに適用できるヘッダ部とドライブに特有の情報が記録された領域とを含むことができる。
【００３５】
ヘッダ部分の例としては、４バイトの”ＰＡＣ＿ＩＤ”、４バイトの”未知のＰＡＣ規則（Unknown PAC Rules）”、１バイトの”全体ディスクフラグ（Entire Disc Flag）”、１バイトの”セグメント数（Number of Segments）”および／または各々８バイトである３２個のセグメントＳｅｇｍｅｎｔ＿０〜Ｓｅｇｍｅｎｔ＿３１を含むことができる。
【００３６】
“ＰＡＣ＿ＩＤ”は、現在のＰＡＣ状態および識別コードを表すものである。例えば、”ＰＡＣ＿ＩＤ”が'００  ００  ００  ００'ビットを含む場合、”ＰＡＣ＿ＩＤ”は現在のＰＡＣ状態が使われないということを表す。”ＰＡＣ＿ＩＤ”が'ＦＦ  ＦＦ  ＦＦ  ＦＦ'ビットを含む場合、”ＰＡＣ＿ＩＤ”は現在のＰＡＣゾーンは、欠陥またはこれと類似なことによって使用できないということを表す。さらに、”ＰＡＣ＿ＩＤ”が'ＦＦ  ＦＦ  ＦＦ  ＦＦ'ビットを含む場合、”ＰＡＣ＿ＩＤ”はＰＡＣゾーンが既に使用されていても現在のＰＡＣゾーンは再び使用できるということを表す。
【００３７】
“ＰＡＣ＿ＩＤ”を'５４  ５３  ５４  ００'ビットなど、所定のビットで記録することにより、このディスクが現在のドライブによって自由にアクセスできるディスクであるのかどうかを判定するためのコードとして、”ＰＡＣ＿ＩＤ”を使うことができる。即ち、現在のドライブが、適用された”ＰＡＣ＿ＩＤ”を認識できなければ（現在ドライブがバージョン不一致またはこれと類似の問題点により現在のＰＡＣを認識できない場合等）、”未知のＰＡＣ規則（Unknown PAC Rules）”フィールドに記録された情報を参照するコードとして、'５４  ５３  ５４  ００'ビットを使うことができる。
【００３８】
前述のように、”未知のＰＡＣ規則”フィールドは、現在のＰＡＣを認識できないドライブの動作範囲を指定するフィールドとして使われる。これは、図５を参照しながらより詳細に説明される。
【００３９】
図５は、本発明の実施形態に係る”未知のＰＡＣ規則”フィールドを示す図である。
【００４０】
図５を参照すれば、ディスク上のいろいろな領域の制御可能性の程度は、”未知のＰＡＣ規則”によって、有効と（ｅｎａｂｌｅ）される。本例において、図５における”領域”の列はディスク上の制御可能な領域を表し、”制御”の列は読取／書込などの制御タイプを表し、”ビット数”の列は制御に必要となるビットの数を表す。”ビット数”の列における追加的なビットは、２つの記録／再生面を持つ２層ディスクの場合を表す。
【００４１】
例えば、図５の”領域”の列において、ＰＡＣゾーンの読取／書込制御可能性は”ＰＡＣゾーン１、２”に表示され、欠陥管理ゾーンの書込制御可能性は”ＤＭＡゾーン１、２”に表示される。欠陥領域に対する交替領域の書込制御可能性は”交替クラスタ”フィールドに表示することができ、データゾーンの読取／書込制御可能性は”データゾーン”フィールドに表示することができ、論理的オーバライト（Logical Overwrite）制御可能性は”論理的オーバライト”フィールドに表示することができる。
【００４２】
書込の制御可能性は、書換え可能なディスクであるＢＤ−ＲＥおよびＢＤ−Ｒのみに適用することができる。欠陥領域に対する交替領域の書込の制御可能性も書換え可能なディスクであるＢＤ−ＲＥおよびＢＤ−Ｒに適用することができる。結果として、本発明の様々な機能は、高密度（光）ディスクの書換え可能機能に依存することができる。
【００４３】
上記の技術を利用して、”未知のＰＡＣ規則”フィールドは、バージョンが異なるドライブに対して、ディスク上に制御可能な領域の指定することを可能にする。さらに、またユーザのオプションで、上記の技術をディスク上の特定の物理的領域に対するアクセスを制御することに適用することができる。
【００４４】
図４に戻ると、”全体ディスクフラグ”フィールドは、ディスクの全体領域にＰＡＣが適用できるということを表すためのフィールドとして使うことができる。”セグメント数”フィールドは、ＰＡＣが適用できるセグメント領域の数を表すフィールドである。
【００４５】
一実施形態においては、１つのＰＡＣに最大数のセグメントが割り当てられ得る。一実施形態においては、３２個である最大数のセグメントが１つのＰＡＣに割り当てられる。そして、割り当てられたセグメント上の情報は、各々が８バイトを含む”Ｓｅｇｍｅｎｔ＿０”から”Ｓｅｇｍｅｎｔ＿３１”フィールドに書込まれる。”Ｓｅｇｍｅｎｔ＿０〜３１”フィールドの各々は、割り当てられたセグメント領域の最初の物理的セクタ番号（ＰＳＮ）および最終のＰＳＮを含むことができる。
【００４６】
セグメントについては、以下更に詳細に説明される。図６は本発明の実施形態に係る高密度光ディスク上のセグメントゾーンを図示する。
【００４７】
図６を参照すれば、必要ある場合、ＰＡＣを適用するために、高密度光ディスク上に最大数の（例えば、３２）セグメント領域が存在することができる。最大数のセグメントは”セグメント０”から始まることができる。
【００４８】
一例では、割り当てられたセグメント領域の開始位置を表す最初のＰＳＮおよび割り当てられたセグメント領域の最終の位置を表す最終ＰＳＮを、ＰＡＣＩＩおよびＰＡＣＩゾーンの”セグメント”フィールドに書込むことによって、光ディスクにより、セグメント領域の位置が識別される。
【００４９】
配置の一例においては、複数の割り当てられたセグメント中のいずれもオーバラップを必要としておらず、開始位置および終了位置を、クラスタの境界に指定することができる。
【００５０】
このように、例示的な実施形態においては、本発明は複数の（例えば、３２）セグメント領域を管理するために、複数のＰＡＣを含むことができる。以下、更に詳しく説明する。
【００５１】
図７は、本発明の実施形態に係る高密度光ディスク上のＰＡＣゾーンを示す図である。図７を参照すれば、各々共通するクラスタサイズを持つ複数の有効（valid）ＰＡＣが、３２クラスタの１つのＰＡＣゾーン（例えば、ＩＮＦＯ２またはＩＮＦＯ１のＰＡＣゾーン）に書き込まれる。
【００５２】
有効ＰＡＣは前述の多様な種類のＰＡＣ情報を有し、コピーを含むゾーンを表し、１つのＰＡＣゾーンに割り当てられ、各々の共通サイズを持つ、最大（例えば、１６）有効ＰＡＣを含むことができる。
【００５３】
有効ＰＡＣは、ＰＡＣが記録された光ディスクのドライブバージョンに従って、所定のＰＡＣ＿ＩＤ（例えば、ＰＡＣ＿ＩＤ=５４  ５３  ５４  ００）を有し、使われないＰＡＣゾーンは、スペアＰＡＣゾーンである得る。スペアＰＡＣゾーンは、光ディスクドライブの設定によって、このゾーンが使われないことを表す００ビット（ＰＡＣ＿ＩＤ=００  ００  ００  ００）で満たされたり、または、”未使用領域”のままであったりすることができる。
【００５４】
追記型の高密度光ディスクＢＤ−Ｒの場合は、物理的に１回の記録のみが可能であるので、一実施形態では、書込が完了するまで、または、ディスクがクローズされる（ユーザがこれ以上の追加的な書き込みを希望しなくなる）まで、スペア領域には何も書き込みされない。
【００５５】
書き換え可能の高密度光ディスクＢＤ−ＲＥの場合は、繰返して物理的な重ね書きが可能であるため、一実施形態では、有効ＰＡＣおよびコピーＰＡＣが３２クラスタのＰＡＣゾーンに書込まれても、多数回の書き込みが許容される。
【００５６】
書き込まれたＰＡＣにおける１つのＰＡＣゾーンに欠陥が存在すれば、ＰＡＣを欠陥領域の次の領域に書き込むことができる。欠陥はディスクの表面の損傷または汚れの結果発生し、ＰＡＣが書込まれる領域において欠陥が発生すれば、ＰＡＣ情報を欠陥のある領域の次の領域に書込むことができる。
【００５７】
ＰＡＣゾーンに割り当てられる複数のＰＡＣは、ディスクの制御可能領域に関する多様な種類の情報を持つことができ、これは図８を参照しながら説明される。
【００５８】
図８は、本発明の実施形態に係る高密度光ディスク上の複数のＰＡＣゾーンにより管理されるセグメントゾーンを示す図である。図８を参照すれば、互いに異なるバージョンのドライブに対して、複数のＰＡＣを使用してディスク上に制御可能なセグメント領域が指定される。すなわち、ディスク上のＰＡＣ＃０を通じてセグメント０Ｓｅｇ＃０およびセグメント１Ｓｅｇ＃１を制御することができ、ＰＡＣ＃１を通じてディスク上のセグメント０Ｓｅｇ＃０、セグメント１Ｓｅｇ＃１およびセグメント２Ｓｅｇ＃２を制御することができ、ＰＡＣ＃２を通じてディスク上のセグメント０Ｓｅｇ＃０を制御することができる。
【００５９】
本例においては、各々のＰＡＣにより制御できるセグメント領域の中のいずれかもオーバラップされないで、セグメント領域はセグメント＃０から始めて昇順に記録され、これはＰＡＣが相互に独立しているということを表す。
【００６０】
また、１つのＰＡＣが最大３２個のセグメント領域を持っていても、複数のＰＡＣにより管理されるセグメントの総数は、セグメントが複数のＰＡＣにより管理される例でも３２を越えない。
【００６１】
上記のＰＡＣゾーンから既に書込まれた領域もしくは欠陥領域を避けながら、ＰＡＣゾーンから有効ＰＡＣゾーンの位置を探したり、または、次に書込可能なＰＡＣゾーンの位置を素早く探したりすることは、ディスクの初期化および／または記録速度に影響を及ぼす。特に、欠陥領域を読取るためには、多くのリトライが実行されることがある。
【００６２】
いくつかの実施形態においては、本発明は複数の有効ＰＡＣの位置、次の書込可能なＰＡＣの位置に関する様々な状態情報および／またはその他の関連情報を、例えばディスク定義構造（ＤＤＳ ; Disc Definition Structure）などのデータ構造に書き込む方法を提供する。
【００６３】
ＤＤＳは、欠陥リストの最初のＰＳＮ、ユーザデータゾーンの位置、スペア領域のサイズに関する情報および／またはその他の関連情報を含むゾーンである。また、欠陥リスト（DFL ; Defect List）と共に欠陥管理構造（DMS ; Defect Management Structure）における情報として、ＤＤＳはディスクのＤＭＡゾーンに書き込まれる情報である。
【００６４】
ＤＭＡに書込まれた情報は、ディスクがドライブにロードされる時に予めスキャンされてロードされた情報である。したがって、複数の有効ＰＡＣの位置、次の書込可能なＰＡＣの位置および／またはその他の関連情報など、ＰＡＣに関する多様な状態情報が一旦ＤＤＳにポインタとして書き込まれると、光ディスクドライブは全てのＰＡＣゾーンをスキャニングする必要なしに、ＰＡＣゾーンに関する情報を取得することができる。
【００６５】
ＤＤＳはＰＡＣゾーンの状態に関する多様な種類の情報を含むことができる。以下に、説明される。
【００６６】
図９は、本発明の実施形態に係る高密度光ディスク上のＤＤＳを示す図である。図９を参照すれば、ＤＤＳは以下のものを含むことができる。すなわち、”ＤＤＳ識別子”フィールド、”ＤＤＳフォーマット”フィールド、ドライブ領域の最初の物理的セクタ番号を表す”ドライブ領域の最初ＰＳＮ（Ｐ＿ＤＡ）”フィールド、欠陥リストの最初のＰＳＮを表す”欠陥リストの最初のＰＳＮ（Ｐ＿ＤＦＬ）”フィールド、ユーザデータ領域のＬＳＮ（Logical Sector Number）を表す”ユーザデータ領域のＬＳＮ０の位置”フィールド、内部スペア領域０の大きさを表す”内部スペア領域０サイズ（ＩＳＡ０＿ｓｉｚｅ）”フィールド、外部スペア領域０の大きさを表す”外部スペア領域サイズ（ＯＳＡ＿ｓｉｚｅ）”フィールド、内部スペア領域１の大きさを表す”内部スペア領域１サイズ（ＩＳＡ１＿ｓｉｚｅ）”フィールド、ＰＡＣゾーンの欠陥状態を表す”ＰＡＣクラスタ欠陥状態(PAC Cluster Defect Status)”フィールドおよび／またはＰＡＣゾーンの指定された状態を表す”ＰＡＣ割当空間(PAC Allocated space)”フィールドを含むことができる。
【００６７】
したがって、ＤＤＳ例は、ＰＡＣゾーンにおける欠陥クラスタの位置および／またはＰＡＣが割り当てられたクラスタの位置など、ＰＡＣに関する多様な状態情報を、”ＰＡＣクラスタ欠陥状態”フィールドおよび／または”ＰＡＣ割当空間”フィールドを使用して提供することができる。
【００６８】
“ＰＡＣクラスタ欠陥状態”フィールドおよび／または”ＰＡＣ割当空間”フィールドを使用してＰＡＣ状態情報を表す方法は、以下に詳細に説明される。
【００６９】
図１０は、本発明の実施形態に係る高密度光ディスク上にＰＡＣ状態を表すＤＤＳを示す図である。図１０を参照すれば、ＤＤＳの”ＰＡＣクラスタ欠陥状態”フィールドに２バイトが割り当てられ、ＰＡＣゾーンのクラスタ欠陥または欠陥クラスタ領域に起因する書き込み失敗を表す。
【００７０】
図示されたように、図１０でのＰＤＳ  Ｎ（ＰＡＣ欠陥状態）ビットはＰＡＣクラスタの状態を表すためのビットであって、０ビットはＰＡＣクラスタＮが欠陥領域でないことを表し、１ビットはＰＡＣクラスタＮが欠陥領域ということを表す。
【００７１】
ＰＤＳ０ビットはＰＡＣ＃０ゾーンの状態を表し、ＰＤＳ１ビットはＰＡＣ＃１ゾーンの状態を表し、同じように、ＰＤＳ１５ビット（例えば、１６に対して）は有効ＰＡＣの状態を表し、これは１つのＰＡＣゾーンに割り当てられることができる。
【００７２】
また、ＤＤＳゾーンの”ＰＡＣ割当空間”に２バイトが割り当てられて、ＰＡＣゾーンの割当状態を表す。
【００７３】
図１０におけるＰＳＢ  Ｎ（ＰＡＣ状態ビット）は、ＰＡＣクラスタの割当状態を表すビットである。ここで０ビットは、例えばＰＡＣが使われなかったり、ＰＡＣ＿ＩＤ=００００００００またはＦＦＦＦＦＦＦＦ状態である等、ＰＡＣクラスタＮが新しく割り当てられたりする状態を表し、１ビットはＰＡＣクラスタＮが割り当てられている状態を表すことができる。
【００７４】
本例では、ＰＤＳビットのように、ＰＳＢビットがＰＳＢ０からＰＳＭ１５ビットまで割り当てられ、ＰＳＢ０ビットはＰＡＣ＃０ゾーンを表し、ＰＳＢ１ビットはＰＡＣ＃１ゾーンを表す。
【００７５】
ＰＡＣゾーンの状態を例として説明されたように、ＤＤＳを使用して表現される様々な実施形態を以下に論議する。
【００７６】
図１１から図１３は、ＤＤＳの多様な実施形態を示す図であって、これらの各々は本発明の実施形態に係る高密度光ディスク上のＰＡＣ状態を示す。
【００７７】
図１１を参照すれば、ＰＤＳ１ビットは、”ＰＡＣクラスタ欠陥状態”フィールドのビットマップ上で１であり、これはＤＤＳの中に含まれた情報の内でＰＡＣゾーンの欠陥領域に関する情報である。したがって、この情報に基づいて、光ディスクドライブはＰＡＣ＃１ゾーンには欠陥があるということを認識できることになる。
【００７８】
また、ＰＡＣゾーンの割当状態を表す”ＰＡＣ割当空間”フィールドのビットマップ上において、ＰＳＢ０、ＰＳＢ１およびＰＳＢ２ビットの各々も１である。光ディスクドライブは、この情報に基づいてＰＡＣ＃０、ＰＡＣ＃１およびＰＡＣ＃２ゾーンが割当られた状態にあるということを認識できる。したがって、欠陥領域ではなく、割り当てられた領域ではない次の使用可能なＰＡＣゾーンは、ＰＡＣ＃３ゾーンである。
【００７９】
また、図１２を参照すれば、”ＰＡＣクラスタ欠陥状態”のビットマップ上において、ＰＤＳ０、ＰＤＳ１、ＰＤＳ４およびＰＤＳ５ビットの各々が１であるため、光ディスクドライブはＰＡＣ＃０、ＰＡＣ＃１、ＰＡＣ＃４およびＰＡＣ＃５ゾーンが欠陥領域であるということを認識できる。そして、”ＰＡＣ割当空間”フィールドのビットマップ上において、ＰＳＢ０、ＰＳＢ１、ＰＳＢ２、ＰＳＢ３、ＰＳＢ４、ＰＳＢ５およびＰＳＢ６ビットの各々が１であるため、光ディスクドライブは、ＰＡＣ＃０、ＰＡＣ＃１、ＰＡＣ＃２、ＰＡＣ＃３、ＰＡＣ＃４、ＰＡＣ＃５およびＰＡＣ＃６ゾーンの各々が割り当てられた状態であるということを認識できる。したがって、図１２の場合、次の使用可能なＰＡＣゾーンは、ＰＡＣ＃７である。
【００８０】
また、図１３を参照すれば、”ＰＡＣクラスタ欠陥状態”フィールドのビットマップ上において、ＰＤＳ０、ＰＤＳ１、ＰＤＳ４およびＰＤＳ５ビットが１であるため、光ディスクドライブは、ＰＡＣ＃０、ＰＡＣ＃１、ＰＡＣ＃４およびＰＡＣ＃５ゾーンの各々には欠陥がある領域であることを認識できる。そして、”ＰＡＣ割当空間”フィールドのビットマップ上において、ＰＳＢ０、ＰＳＢ１、ＰＳＢ２、ＰＳＢ４、ＰＳＢ５およびＰＳＢ６ビットの各々が１であるため、光ディスクドライブは、ＰＡＣ＃０、ＰＡＣ＃１、ＰＡＣ＃２、ＰＡＣ＃４、ＰＡＣ＃５およびＰＡＣ＃６ゾーンの各々が割り当てられた状態であることを認識できることになる。
【００８１】
したがって、図１３の場合、次の使用可能なＰＡＣゾーンはＰＡＣ＃３であり、これはこのＰＡＣ＃３が既に使われていても、現在、再使用できる領域であり得る。
【００８２】
前述のように、ＩＮＦＯ２ゾーンのＰＡＣＩＩゾーンに対する情報のコピーは、このＩＮＦＯ２ゾーンのＰＡＣＩＩゾーンの領域に対応するＩＮＦＯ１ゾーンのＰＡＣＩゾーンの領域に記録される。ＰＡＣＩＩゾーンのＰＡＣ＃１ゾーンに欠陥があるならば、ＰＡＣ＃１のＰＡＣＩゾーンが使われ得る（欠陥がなければ）。
【００８３】
ＤＤＳに追加の（例えば、４）バイトを割り当てることにより、ＤＤＳが４バイトのＰＡＣＩＩゾーンに関する情報だけでなく、ＰＡＣＩに関する情報も含むようにすることも可能である。この場合、ＰＡＣＩ上に書き込まれた情報はＰＡＣＩＩゾーンの欠陥領域から自由（ｆｒｅｅ）であることができる。
【００８４】
図１４は、本発明の他の実施形態に係る高密度光ディスク上のＤＤＳの他の実施例を示す図である。図１４を参照すれば、前述のように、ＤＤＳは次のものを含むことができる。すなわち、”ＤＤＳ識別子”フィールド、”ＤＤＳフォーマット”フィールド、”ドライブ領域の最初のＰＳＮ（Ｐ＿ＤＡ）”フィールド、”欠陥リストの最初のＰＳＮ（Ｐ＿ＤＦＬ）”フィールド、”ユーザデータ領域のＬＳＮ０の位置”フィールド、”内部スペア領域０サイズ（ＩＳＡ０＿ｓｉｚｅ）”フィールド、”外部スペア領域サイズ（ＯＳＡ＿ｓｉｚｅ）”フィールド、”内部スペア領域１サイズ（ＩＳＡ１＿ｓｉｚｅ）”フィールドおよび／またはＰＡＣゾーンの状態を表す”ＰＡＣ状態”フィールドを含むことができる。
【００８５】
“ＰＡＣ状態”フィールドは、ＩＮＦＯ２ゾーンのＰＡＣＩＩゾーンおよびＩＮＦＯ１ゾーンのＰＡＣＩゾーンにおいてＰＡＣの状態を表すための８バイトを持つことができ、以下に詳しく説明される。
【００８６】
図１５は、本発明の他の実施形態に係る高密度光ディスク上のＰＡＣ状態を表すＤＤＳの他の実施例を示す図である。図１５を参照すれば、ＤＤＳの”ＰＡＣ状態”フィールドはＩＮＦＯ２ゾーンのＰＡＣＩＩゾーンおよびＩＮＦＯ１ゾーンのＰＡＣ１ゾーンの状態を表すために、全体で６４ビット（８バイト）を使用することができる。
【００８７】
本例において、１つのＰＡＣにおける情報は、例えばビットｂ１およびｂ０をＰＡＣＩゾーンのＰＡＣ＃０の状態を表すように割り当て、ビットｂ２およびｂ３をＰＡＣＩゾーンのＰＡＣ＃２の状態を表すように割り当てることにより、２ビットによって表現される。全ての引き続く２ビットは、連続してＰＡＣゾーンのＰＡＣ状態を表す。したがって、ビットｂ３１およびｂ３０はＰＡＣＩゾーンのＰＡＣ＃１５状態を表すことができ、ビットｂ３３およびｂ３２はＰＡＣ２ゾーンのＰＡＣ＃０状態を表すことができ、ビットｂ６３およびｂ６２はＰＡＣ２ゾーンのＰＡＣ＃１５状態を表すことができる。
【００８８】
２ビットで表現されたＰＡＣゾーンのＰＡＣ状態は、２ビットが００の場合はＰＡＣが記録されていないことを表す。２ビットが０１の場合は、ＰＡＣ  ００  ００  ００  ００ビットで書き込まれてＰＡＣが書込可能であるということを表し、または、ＦＦ  ＦＦ  ＦＦ  ＦＦビットで書き込まれてそのＰＡＣが以前に使われたとしてもＰＡＣは再使用できるということを表す。さらに、２ビットが１０の場合は、ＰＡＣが欠陥領域 ＦＦ  ＦＦ  ＦＦ  ＦＦということを表し、２ビットが１１の場合はＰＡＣが有効ＰＡＣ（例えば、有効ＰＡＣ＝５４  ５３  ５４  ００）ということを表すことができる。
【００８９】
したがって、次の書込可能ＰＡＣゾーンはビット００またはビット０１の領域であり、有効ＰＡＣの位置はビット１１の領域であるだろう。
【００９０】
上述した方法を使用することにより、光ディスクドライブはＤＤＳゾーンに挿入された８バイトの”ＰＡＣ状態”フィールドから、ＰＡＣ２ゾーンおよびＰＡＣ１ゾーンに書き込まれたＰＡＣに対する有効ＰＡＣの位置、欠陥領域の位置、次の書き込み可能位置に関する情報並びに／またはその他の関連情報を取得することができる。
【００９１】
図１６は、本発明の他の実施形態に係る高密度光ディスク上のＰＡＣ状態を表すＤＤＳを示す図である。
【００９２】
ＤＤＳの”ＰＡＣ状態”フィールドが図１６に図示されたことと同一であれば、ＰＡＣＩＩゾーンでＰＡＣ＃０を表すｂ３３およびｂ３２ビットが１１であるため、ＰＡＣＩＩゾーンにおいてＰＡＣ＃０は有効ＰＡＣということが知られる。
【００９３】
また、ＰＡＣＩＩゾーンにおいてＰＡＣ＃１を表すｂ３５およびｂ３４ビットが１０であるため、ＰＡＣＩＩゾーンにおいてＰＡＣ＃２は以前に使われていない領域ということが知られ、または、００であれば現在使用できない領域ということが知られる。
【００９４】
したがって、有効ＰＡＣの位置を探そうとするならば、光ディスクドライブはＤＤＳの”ＰＡＣ状態”フィールド情報がビット１１を表すＰＡＣを探すことができる。次の書込可能ＰＡＣゾーンの位置を探そうとするならば、光ディスクドライブは”ＰＡＣ状態”情報からビット０１または００を探すことができる。
【００９５】
また、ＰＡＣＩＩゾーンにおけるＰＡＣ情報のバックアップが、ＰＡＣＩゾーン上に書き込まれ、”ＰＡＣ状態”フィールドのＰＡＣＩＩゾーンを表すビットマップおよびＰＡＣＩゾーンを表すビットマップが同一であっても、欠陥領域および／またはその他の類似の領域の位置が同一でなければ、２つのビットマップは同一でないことがある。したがって、回避できない状況によりＰＡＣＩゾーン上に書き込まれた情報を読み取ろうとするならば、ＤＤＳにおける”ＰＡＣ状態”フィールド情報からＰＡＣＩゾーンを表す情報を参照する必要があり得る。
【００９６】
ＤＤＳにおいて、８バイトでＰＡＣＩＩゾーンおよびＰＡＣＩゾーンのＰＡＣ状態を表すための例示的な方法のほかに、単に４バイトだけでＰＡＣＩＩゾーンのＰＡＣ状態のみを表すための他の例示的な方法が存在する。これは、前述のように、ＰＡＣＩＩゾーン上に書き込まれた情報およびＰＡＣＩゾーン上に書き込まれた情報が同一であるためである。この場合、ＰＡＣＩゾーンのＰＡＣ状態を知ろうとするならば、ＰＡＣＩゾーンはＰＡＣＩゾーンに対応するＰＡＣＩＩゾーンの位置から決定される。
【００９７】
このような例では、ＰＡＣＩＩまたはＰＡＣＩゾーンでの欠陥領域またはその他の同様な状況により、ＰＡＣＩＩゾーンの位置に対応するＰＡＣＩゾーン上にＰＡＣ情報を書き込むことに失敗しても、この領域を使用しない方法を選ぶことができる。
【００９８】
本発明の実施形態のように、ＤＤＳにより複数のＰＡＣの位置を表す情報は連続的な書込により情報がアップデートされる書込可能ディスクＢＤ−ＲＥまたはＢＤ−Ｒに対して好ましいものである。
【００９９】
例えば、追記型の高密度光ディスクＢＤ−Ｒの場合、追記型ディスクの物理的特性に従って、取出（ejection）の後に書き込みが繰り返される毎に、複数の有効ＰＡＣの位置が変更される。この位置情報は、一時ディスク定義構造（ＴＤＤＳ ; Temporary Disc Definition Structure）として一時ディスク管理領域（ＴＤＭＡ ; Temporary Disc Management Area）上に記録され、書き込み完了時またはユーザがこれ以上の書込を希望しないディスククローズの完了時に、ＤＤＳ情報として書き込まれる。
【０１００】
図１７は、本発明の実施形態に係る光記録／再生装置のブロック図を示す。図１７を参照すれば、光記録／再生装置は、光ディスクに対して記録および／または再生を実行するための記録／再生部１０および記録／再生部１０を制御するためのホストまたはコントローラ２０を含むことができる。一実施形態においては、記録／再生部１０は本発明の多数の実施形態とともに上記で論議された”光ディスクドライブ”として作動することができる。
【０１０１】
一実施形態においては、ホスト２０は光ディスクの特定の領域に対する書込または再生のために記録／再生部１０に書込または再生指令を与え、記録／再生部１０はホスト２０からのコマンドに応答して特定の領域に対して記録／再生を実行する。
【０１０２】
記録／再生部１０は、ホスト２０とデータおよびコマンド交換などの通信を実行するインターフェース１２、光ディスクに対して直接書込／読取を行うピックアップ１１、ピックアップ１１から信号を受信して希望する信号値を再生したりまたは書き込み対象の信号を光ディスク上に書き込むことができる信号に変調したりするデータプロセッサ１３、光ディスクからの信号を正確に読取できるように、または光ディスク上に信号を正確に書込むようにピックアップ１１を制御するサーボ１４、管理情報およびデータを含む多様な種類の情報の一時的な格納するメモリ１５並びに記録／再生部１０の多様な部分を制御するマイクロコンピュータ１６を更に含むことができる。
【０１０３】
このような例示的な光記録／再生装置を使用して、高密度書込可能光ディスク上にＰＡＣを記録するための方法の一例が以下に説明される。
【０１０４】
光ディスクを光記録／再生装置に挿入すると、光ディスクから管理情報が読取られ、光ディスクの記録／再生時に使用するために記録／再生部１０のメモリ１５に格納される。
【０１０５】
このような状態で、ユーザが光ディスクの特定の領域上に書込むことを希望すれば、これを書込指令として取扱うホスト２０は、書き込まれるデータと共に、希望する書込位置に関する情報を、記録／再生部１０に提供する。
【０１０６】
記録／再生部１０におけるマイクロコンピュータ１６は、書き込み指令を受信し、メモリ１５に格納された管理情報から、ホスト２０が書込むことを希望する光ディスクの領域が欠陥領域であるか否かを判定し、および／または欠陥領域でない領域上にホスト２０からの書き込み指令にしたがって、書き込みを実行することができる。
【０１０７】
全体のディスク上にまたはディスクの特定の領域上への書き込みが、この記録／再生部の古いバージョンでは提供されていない新たな機能を含んでおり、記録／再生部の古いバージョンが検知できない結果となったり、またはユーザ自身が設定した制限によりディスクの特定の領域に対する書込または再生などの機能を制限することが意図されたりする場合には、記録／再生部１０のマイクロコンピュータ１６は、”未知のＰＡＣ規則（Unknown PAC rule）”として、ディスク上にＰＡＣゾーンでの領域の制御情報を書込むことができる。また、記録／再生部１０のマイクロコンピュータ１６は、書込状態に対するＰＡＣ＿ＩＤなどのＰＡＣ情報ならびに制御情報であるセグメント情報を、ディスクの特定の領域上に書込むことができる。
【０１０８】
ＰＡＣ情報は、１つのクラスタサイズでＩＮＦＯ２ゾーンのＰＡＣ２ゾーン上に複数の有効ＰＡＣとして書き込むことができる。複数の有効ＰＡＣは、ＩＮＦＯ１ゾーンのＰＡＣ１ゾーン上にバックアップとして書き込むことができる。本例において、複数の有効ＰＡＣの位置情報は、本発明の実施形態に係る方法により光ディスクのＤＭＡでのＤＤＳ上に書き込むことができる。
【０１０９】
特に、マイクロコンピュータ１６はデータが書き込まれる領域またはＰＡＣゾーンに対する情報およびデータを、サーボ１４およびデータプロセッサ１３に提供して、光ディスク上の希望する位置においてピックアップ部１１を通じて書き込みが終了される。
【０１１０】
また、上記の例示的な方法によりＰＡＣ情報が書き込まれた高密度光ディスクを記録／再生する方法を以下に説明する。
【０１１１】
図１８は、本発明の実施形態によってＰＡＣが記録された高密度光ディスクを記録／再生するための方法を表すフローチャートである。
【０１１２】
光ディスクを光記録／再生装置に挿入すると、光ディスクから管理情報が読取られ、光ディスクの記録および再生時に使用する目的で記録および再生措置１０のメモリ１５に格納される。
【０１１３】
メモリ１５に格納された情報は、光ディスク上のＰＡＣゾーンでの多様なゾーンの位置情報を含むことができる。特に、ＰＡＣゾーンでの有効ＰＡＣの位置は、ＤＤＳ情報から判定されることができる（Ｓ１０）。
【０１１４】
有効ＰＡＣの位置が判定された後、ＰＡＣのＰＡＣ＿ＩＤフィールドが検査され、ＰＡＣ＿ＩＤが識別されたＰＡＣ＿ＩＤであるか否かが検証される（Ｓ２０およびＳ３０）。
【０１１５】
書込まれたＰＡＣ＿ＩＤが識別されれば、本方法はディスク上にデータを書き込んだ記録および再生デバイスが現在の記録および再生デバイスのバージョンとバージョンが同一であると判定し、または、別途の書込／再生の制限がないということを判定して、ホスト２０からのコマンドに従って、記録／再生が実行される（Ｓ４０）。
【０１１６】
ＰＡＣ＿ＩＤ上に書込まれたコードの識別に失敗すると、本方法はディスク上にデータを記録した記録および再生デバイスが現在の記録および再生デバイスのバージョンと異なるバージョンを有するかなどの制限が存在するか否かを判定する。そして、”未知のＰＡＣ規則（Unknown PAC rule）”上に書込まれたディスク上の記録／再生領域を参照して、ホストからの指令に従って、記録／再生が実行される。
【０１１７】
このために、マイクロコンピュータ１６は、ホストのコマンドに係る位置情報およびデータを、サーボ１４およびデータプロセッサ１３に伝達して、光ディスク上の希望する位置で、ピックアップ部１１を通して記録／再生が終了される。
【０１１８】
以上に説明されたように、本発明の高密度光ディスクに対して記録／再生する装置並びに方法は、以下の複数の利点を持っている。
【０１１９】
第１に、ＰＡＣを使用することにより互いに異なるバージョンのドライブのディスクのアクセス可能な領域を定義することは、例えば非権限アクセス（例えば、ハッキング）を防止したり低減させたりする等、ユーザデータが記録されたデータ領域のより確実な保護を可能にする。
【０１２０】
第２に、ディスク上の複数の有効ＰＡＣおよび／またはＰＡＣの位置を表示するポインタは、高密度光ディスク上のＰＡＣに対するより効率良い管理を可能にする。
【０１２１】
第３に、ＰＡＣを使用してデータを記録／再生する装置および方法は高密度光ディスク上により効率良いデータ記録／再生を可能にする。
【図面の簡単な説明】
【０１２２】
【図１】本発明の実施形態に係る高密度光ディスク上のＰＡＣゾーンを示す図である。
【図２】本発明の実施形態に係る高密度光ディスク上のＩＮＦＯ２ゾーンおよびＩＮＦＯ１ゾーンの構成を示す図である。
【図３】本発明の実施形態に係る高密度光ディスク上に記録されたＰＡＣの構造を示す図である。
【図４】本発明の実施形態に係る高密度光ディスク上のＰＡＣの構造を示す図である。
【図５】本発明の実施形態に係る”Unknown PAC Rules”の構成を示す図である。
【図６】本発明の実施形態に係る高密度光ディスク上のセグメントゾーンを示す図である。
【図７】本発明の実施形態に係る高密度光ディスク上のＰＡＣゾーンを示す図である。
【図８】本発明の実施形態に係る高密度光ディスク上の複数のＰＡＣゾーンにより管理されるセグメントゾーンを示す図である。
【図９】本発明の実施形態に係る高密度光ディスク上のディスク定義構造（ＤＤＳ ; Disc Definition Structure）を示す図である。
【図１０】本発明の実施形態に係る高密度光ディスク上のＰＡＣ状態を表すＤＤＳを示す図である。
【図１１】多数の代案的なＤＤＳを示す図であって、これらの各々は本発明の実施形態に係る高密度光ディスク上のＰＡＣ状態を示す図である。
【図１２】多数の代案的なＤＤＳを示す図であって、これらの各々は本発明の実施形態に係る高密度光ディスク上のＰＡＣ状態を示す図である。
【図１３】多数の代案的なＤＤＳを示す図であって、これらの各々は本発明の実施形態に係る高密度光ディスク上のＰＡＣ状態を示す図である。
【図１４】本発明の実施形態に係る高密度光ディスク上のＤＤＳに対する追加的な代案を示す図である。
【図１５】本発明の実施形態に係る高密度光ディスク上のＰＡＣ状態を表すＤＤＳの他の代案を示す図である。
【図１６】本発明の実施形態に係る高密度光ディスク上のＰＡＣ状態を表すＤＤＳを図示する。
【図１７】本発明の実施形態に係る光記録／再生装置のブロック図を図示する。
【図１８】本発明の実施形態によりＰＡＣが記録された高密度光ディスクに対して記録および／または再生するための方法を表すフローチャートを示す図である。
【図１】
2007529841.tif 000003
【図２】
2007529841.tif 000004
【図３】
2007529841.tif 000005
【図４】
2007529841.tif 000006
【図５】
2007529841.tif 000007
【図６】
2007529841.tif 000008
【図７】
2007529841.tif 000009
【図８】
2007529841.tif 000010
【図９】
2007529841.tif 000011
【図１０】
2007529841.tif 000012
【図１１】
2007529841.tif 000013
【図１２】
2007529841.tif 000014
【図１３】
2007529841.tif 000015
【図１４】
2007529841.tif 000016
【図１５】
2007529841.tif 000017
【図１６】
2007529841.tif 000018
【図１７】
2007529841.tif 000019
【図１８】
2007529841.tif 000020
【国際調査報告】
2007529841.tif 000021
2007529841.tif 000022